(57)【要約】【課題】内部スペースの有効利用を図ることにより、仏具等の収納スペースを十分に確保できると共に、故人の写真を視認でき、故人を偲びつつ礼拝することができる納骨壇を提供する。【解決手段】前面が開口形成され、骨箱１０が収納される箱形の納骨壇本体１と、前記納骨壇本体１の前面を覆うべく該納骨壇本体１に回動自在に設けられる開閉扉２と、前記開閉扉２の背面部に設けられ、故人の写真２０が収納される写真収納具２１とを備えている。【選択図】図１
0003160222.tif 000002
【実用新案登録請求の範囲】
【請求項１】
前面が開口形成され、骨箱が収納される箱形の納骨壇本体と、
前記納骨壇本体の前面を覆うべく該納骨壇本体に回動自在に設けられる開閉扉と、
前記開閉扉の背面部に設けられ、故人の写真が収納される写真収納具と、を備えている
ことを特徴とする納骨壇。
【請求項２】
前記写真収納具は、略水平に回動するように設けられている請求項１記載の納骨壇。
【請求項３】
前記写真収納具は、前記開閉扉の背面部に固定板を介して上下方向に取付けられる筒状体と、写真収納具の一方の側面に取付けられる略逆Ｌの字状の支軸とを備え、前記支軸は上方から筒状体に回動自在に挿着されてなることを特徴とする請求項１又は２に記載の納骨壇。
【考案の詳細な説明】
【技術分野】
【０００１】
本考案は、故人の骨箱等が収納され、例えば寺院や霊園等において建設された納骨堂に多数設置される納骨壇に関するものである。
【背景技術】
【０００２】
近年、人口の集中化や核家族化等の影響を受けて、墓地の需要が急激に増加している。しかしながら、地価の高騰や慢性的な土地不足等により、とりわけ大都市部周辺において屋外墓所を入手することが極めて困難な状況となっている。このため、例えば寺院や霊園等においては、所謂ロッカー形式の納骨壇を多数設置することのできる納骨堂が建設されるに至っている。これによると、寺院や霊園等は、墓所の省スペース化によって土地の有効利用を図ることができる一方、使用者は交通便利な墓所を比較的安価に利用することができる。
【０００３】
このような状況下において、従来の納骨壇としては、例えば図９に示すようなものが知られている。すなわち、この納骨壇は、前面を開口して角箱形状に形成された納骨壇本体５０と、前面に開閉自在に設けられた開閉扉５１とを備えている。また、納骨壇本体５０は仕切り板５２により前後に仕切られており、前面側に祭壇部５３が形成されると共に、後面側に納骨部５４が形成されている。宗派等によっては相違するものの、祭壇部５３には例えば位牌、燭台、線香立て、リンの他、花瓶、仏飯器、香炉、茶湯器等の仏具５５が設置され、納骨部５４には骨箱５６が収納される。
【先行技術文献】
【特許文献】
【０００４】
【特許文献１】実開平７−１１９８３号公報
【考案の概要】
【考案が解決しようとする課題】
【０００５】
しかしながら、上記従来の納骨壇は、納骨壇本体５０の前後に祭壇部５３と納骨部５４とが配置されるために、祭壇部５３のスペースを十分に確保することは困難である。一般に、仏具５５等の殆どは平面上に設置して使用されるものであるために、祭壇部５３に設置する仏具５５等の数や大きさが制限されてしまうという使用上の問題点を有すると共に、故人の面影をも忍びたいという要望をも有していたのである。
【０００６】
それ故に、本考案は、かかる点に鑑みてなされたものであり、その目的とするところは、内部スペースの有効利用を図ることにより、仏具等の収納スペースを適切に確保できる納骨壇を提供すると共に、故人の写真を視認でき、故人を偲びつつ礼拝することができる点にある。
【課題を解決するための手段】
【０００７】
本考案に係る納骨壇は、前面が開口形成され、骨箱が収納される箱形の納骨壇本体と、前記納骨壇本体の前面を覆うべく該納骨壇本体に回動自在に設けられる開閉扉と、前記開閉扉の背面部に設けられ、故人の写真が収納される写真収納具とを備えていることを特徴としている。
【０００８】
これによると、礼拝時には、先ず礼拝者により開閉扉を回動して納骨壇本体の前面が開放される。この状態で、礼拝者は開閉扉の背面部に取付けられた写真収納具の写真を視認することができる。このことにより、礼拝者は故人の写真を視認できる状態で、故人を偲びつつ礼拝することが可能になる。礼拝後、開閉扉は閉鎖される。
【０００９】
このように、開閉扉の背面部を利用して写真収納具を設けることにより、納骨壇本体内のスペースを確保することができるために、その分所望の仏具等を納骨壇本体に収納させることが可能になる。
【００１０】
なお、本考案にいう「開閉扉の背面部」とは、納骨壇本体の前面を開閉扉により閉鎖した際に、納骨壇本体の内部側に位置する開閉扉の一面部を意味する。
【００１１】
また、前記写真収納具は、略水平に回動するように設けても構わない。
【００１２】
これによると、写真収納具は略水平に回動自在に設けられるために、写真収納具の回動操作によって開閉扉に対する角度を簡単に変更することができる。このことにより、礼拝者は略正面から故人の写真を視認できる状態で、故人を偲びつつ礼拝することが可能になる。
【００１３】
そして、前記開閉扉の背面部に固定板を介して上下方向に筒状体を取付けて、写真収納具の一方の側面に略逆Ｌの字状の支軸取付けて、前記支軸が上方から筒状体に回動自在となるように挿着する場合は、構造が簡単で、かつ安価に前記納骨壇を製造することができる。
【考案の効果】
【００１４】
本考案によれば、内部スペースの有効利用を図れるために、仏具等の収納スペースを適切に確保できるると共に、故人の面影をも忍ぶことができる。
【００１５】
また、前記開閉扉の背面部に固定板を介して上下方向に筒状体を取付けて、写真収納具の一方の側面に略逆Ｌの字状の支軸取付けて、前記支軸が上方から筒状体に回動自在となるように挿着する場合は、構造が簡単で、かつ安価に前記納骨壇を製造することができる。
【図面の簡単な説明】
【００１６】
【図１】本考案の一実施形態を示す納骨壇の正面図である。
【図２】同斜視図である。
【図３】同水平断面図である。
【図４】（ａ）及び（ｂ）は開閉扉を開放した状態を示す要部断面図である。
【図５】写真収納具を回動させた状態を示す斜視図である。
【図６】固定板を介して開閉扉側に取付けられた筒状体を示す斜視図である。
【図７】写真収納具の背面側を示す斜視図である。
【図８】他の実施形態を示す納骨壇の斜視図である。
【図９】特許文献１に係る納骨壇を示す側面図である。
【考案を実施するための最良の形態】
【００１７】
以下、本考案に係る納骨壇の一実施形態について、図面に従って説明する。納骨壇Ａは、図１〜図３に示すように、前面が開口形成された角箱形状の納骨壇本体１と、納骨壇本体１の前面を覆うべく、その各内側壁面１ａ、１ａの前端部に回動自在にヒンジ結合された左右一対の開閉扉２、２とを備えている。また、納骨壇Ａは納骨壇本体１が載置される収納台３を有している。
【００１８】
納骨壇本体１の内部には、骨箱１０等が収められた厨子１１が設置される上段部１２と、焼香が入れられた香合１３が設置される中段部１４と、線香立て１５、供物台１６等の仏具が設置される下段部１７とが設けられている。収納台３は、例えばロウソク、線香、リン、その他の仏具や備品等が収納可能であり、上下方向に所定間隔を有して略水平方向に配置された複数枚の仕切板（図示せず）と、前面に開閉自在に設けられる開閉扉１８とを備えている。
【００１９】
一方の開閉扉２の背面下部側には、図４に示すように、内部に故人の写真２０が収納された写真収納具２１が連結具２２を介して回動自在に取付けられている。本実施形態では、納骨壇本体１の中段部１４の側方位置に写真収納具２１が配置されている。写真収納具２１は、図５に示すように、前面が開口された収納具本体２３と、その前面に装着される透明ガラス２４（図１及び図２参照）とを備えている。写真２０は、収納具本体２３の上面に形成された挿入孔２３ａから挿入され、透明ガラス２４を介して視認できる状態で収納される。連結具２２は、図４〜図６に示すように、開閉扉２の背面部に固定板３１を介して上下方向に取付けられる筒状体３０と、図４、図５及び図７に示すように、写真収納具２１の一方の側面に取付けられる略逆Ｌの字状の支軸２７とからなっており、支軸２７が上方から筒状体３０に回動自在に挿着される。なお、支軸２７の上端部側には環状のストッパー２７ａが設けられている。
【００２０】
図４（ａ）は収納状態にある写真収納具２１を示しており、写真収納具２１は開閉扉２の背面部と略平行に配置された状態にある。一方、同図（ｂ）及び図５は回動させた状態にある写真収納具２１を示しており、これに収納された写真２０が納骨壇本体１の略前面側に配される位置、すなわち写真収納具２１が開閉扉２の背面部に対して所定の角度を有して配置される状態にある。
【００２１】
本実施形態に係る納骨壇Ａは、以上のような構成からなっている。かかる納骨壇Ａは、例えば左右横方向に多数連設させた状態で、寺院や霊園等の納骨堂に設置して使用されることになる。
【００２２】
そして、礼拝時においては、先ず図４（ａ）に示すように開閉扉２、２を開放する。これにより、礼拝者は一方の開閉扉２の背面部に取付けられた写真収納具２１内の写真２０を視認することが可能になるが、さらに写真収納具２１の角度を変更したい場合は、次のようにして調整する。同図に示すような収納状態にある写真収納具２１を前方に所定角度だけ回動させて、同図（ｂ）に示すように、写真２０を納骨壇本体１の前面側に配置させる。この写真収納具２１の回動操作は非常に簡単に行うことができるために、礼拝者に負担をかけるようなことはない。これにより、礼拝者は略正面から故人の写真２０を確実に視認できる状態で、故人を偲びつつ礼拝することが可能になる。礼拝後、写真収納具２１は収納位置に回動されて収納され、さらに開閉扉２により納骨壇本体の前面が閉鎖される。
【００２３】
また、写真収納具２１は開閉扉２の背面部を利用して回動自在に設けられているために、写真収納具２１を納骨壇本体１の各段１２、１４、１７の何れかに設置する場合と比較すると、これら各段１２、１４、１７の空きスペースを確保することができる。これにより、その空いたスペースを利用して、所望の仏具等を納骨壇本体１内に設置して収納することが可能になる。
【００２４】
また、写真収納具２１は極めて簡易な構成からなるために、その製作も容易に且つ安価に行えるという実用的な利点を有している。
【００２５】
なお、上記実施形態においては、写真収納具２１を一方の開閉扉２の背面下部側に取付けるように構成したが、本考案は決してこれに限定されない。写真収納具２１が設けられる位置は開閉扉２の背面部であればよく、その具体的な位置は問うものではない。
【００２６】
また、納骨壇Ａの構成も、決して上記実施形態のようなものに限られる訳ではなく、例えば次のように構成することもできる。図８に示す納骨壇Ａは、上下３段の納骨壇ユニット３０を有する納骨壇本体１と、各納骨壇ユニット３０の前面に開閉自在に設けられた左右一対の開閉扉２、２とを備えている。各納骨壇ユニット３０の内部は簡略化されており、上段部３１と下段部３２との２段構成からなっているが、開閉扉２の背面部には上記実施形態と同様の写真収納具２１が回動自在に設けられている。上段部３１や下段部３２には、骨箱や各種の仏具等が設置されることになる。
【００２７】
本実施形態のような小スペースに形成された納骨壇ユニット３０において、上記写真収納具２１の採用による有用性はより一層高く、納骨壇ユニット３０の内部スペースを有効に利用することができる。
【００２８】
その他、写真収納具２１の形状や構造等の具体的な構成も本考案が意図する範囲内において任意に設計変更自在である。
【符号の説明】
【００２９】
１    納骨壇本体
２    開閉扉
１０    骨箱
２０    写真
２１    写真収納具
Ａ    納骨壇
【図１】
0003160222.tif 000003
【図２】
0003160222.tif 000004
【図３】
0003160222.tif 000005
【図４】
0003160222.tif 000006
【図５】
0003160222.tif 000007
【図６】
0003160222.tif 000008
【図７】
0003160222.tif 000009
【図８】
0003160222.tif 000010
【図９】
0003160222.tif 000011